(57)【要約】      （修正有）【課題】マスク本体の両側辺部に幅のある帯状の加熱溶着部位が形成されたマスクにおいて、使用時に発生する加熱溶着部位の変形を吸収し、マスク本体と頬の間に隙間が生じないマスクを提供する。【解決手段】口と鼻とを覆うマスク本体１と、該マスク本体１の両側部から延出する一対の耳掛部２、2aとを有し、マスク本体１はプリーツ加工によりヒダ３、3aを形成し、且つ両側辺部に幅のある帯状の加熱溶着部位４、4aを形成したマスクにおいて、加熱溶着部位に、ヒダの山折目８、8a及び隣接するヒダ間の谷折目に沿った複数の切目７、7aを形成することによって、固くなった両側の加熱溶着部位が切目で分割され小片化され、隣接するもの同士が重なって、変形を吸収する。【選択図】図１
2018090925.tif 000002
【特許請求の範囲】
【請求項１】
口と鼻とを覆うマスク本体と、該マスク本体の両側部から延出する一対の耳掛部とを有し、前記マスク本体はプリーツ加工によりヒダを形成し、且つ両側辺部に幅のある帯状の加熱溶着部位を形成したマスクにおいて、
前記加熱溶着部位に、前記ヒダの山折目及び隣接するヒダ間の谷折目に沿った複数の切目を形成したことを特徴とするマスク。
【請求項２】
前記切目を前記加熱溶着部位の領域内に形成したことを特徴とする請求項１記載のマスク。
【発明の詳細な説明】
【技術分野】
【０００１】
本発明は、顔面に馴染み易いマスクに関する。
【背景技術】
【０００２】
従来、風邪、インフルエンザ、花粉症等の予防対策や、ＰＭ２．５に代表される大気中の浮遊微粒子の吸込み防止対策として、使い捨てのマスクが一般的に利用されており、このマスクは、基本的に、プリーツ加工によりヒダを形成したマスク本体と、該マスク本体の両側部から延出する一対の耳掛部とを有し、前記マスク本体の両側辺部に幅のある帯状の加熱溶着部位が形成されている。
【０００３】
しかし、このマスクは、マスク本体のヒダを伸ばし、耳掛部を耳に掛けて使用するが、両側の加熱溶着部位が固くなっていることから、マスク本体の両側部が耳側に引っ張られて耳掛部の両端間の幅が狭くなることに伴って、加熱溶着部位が波形に変形してしまって、マスク本体と頬の間に隙間が生じてしまう。
【０００４】
そこで、マスク本体の両側部で、耳掛部の下側の固定部位の近接位置に略Ｖ字状の切欠部を形成し、該切欠部で両側の加熱溶着部位を変形させようとする力を吸収、分散させることで、両側の加熱溶着部位がフィットして頬との間に隙間が開かない様にしたマスクが見受けられる（例えば、特許文献１参照）。
【先行技術文献】
【特許文献】
【０００５】
【特許文献１】実用新案登録第３２０３０７２号公報
【発明の概要】
【発明が解決しようとする課題】
【０００６】
しかし、上記従来技術にあっては、下記(１)〜(３)の通り、解決せねばならない課題があった。
(1) １カ所だけで分断された加熱溶着部位はどちらもまだ十分に長いため、頬から浮く様  に波形に変形してしまう危険性を否定出来ない。
(2) 切欠部が略Ｖ字状で加熱溶着部位のヒダが圧縮された多層箇所が切り取られるため、  切り口が多層状で見栄えが悪い。
(3) 切欠部が加熱溶着部位より内側の軟質な領域にまで至っているため、マスク本体がヒ  ダを伸ばす際等に切欠部から裂けてしまう危険性を否定出来ない。
【課題を解決するための手段】
【０００７】
本発明は、上記従来技術に基づく、上記(１)〜(３)の課題に鑑み、口と鼻とを覆うマスク本体と、該マスク本体の両側部から延出する一対の耳掛部とを有し、前記マスク本体はプリーツ加工によりヒダを形成し、且つ両側辺部に幅のある帯状の加熱溶着部位を形成したマスクにおいて、前記加熱溶着部位に、前記ヒダの山折目及び隣接するヒダ間の谷折目に沿った複数の線状の切目を形成することによって、固くなった両側の加熱溶着部位が切目で分割され小片化されて、隣接するもの同士が重なり変形を吸収する様にして、上記(１)の課題を解決し、前記切目を線状にして前記ヒダの山折目及び隣接するヒダ間の谷折目に沿って形成することによって、切目を両側の加熱溶着部位の１層箇所に形成可能にして、上記(２)の課題を解決し、前記切目を前記加熱溶着部位の領域内に形成することによって、固くなった加熱溶着部位だけに切目を形成して軟質な内側領域にまで至らない様にして、上記(３)の課題を解決する。
【発明の効果】
【０００８】
要するに本発明は、プリーツ加工によりヒダを形成したマスク本体の両側の加熱溶着部位に、前記ヒダの山折目及び隣接するヒダ間の谷折目に沿った複数の線状の切目を形成しているので、固くなった両側の加熱溶着部位が切目で分割され小片化されて、隣接するもの同士が重なり変形を吸収してくれるため、マスク本体の両側部を頬との間に隙間が生じない様にフィットさせることが出来、よってマスク本体の両側部と頬との間からの病原菌、ウイルス、花粉、ＰＭ２．５等の侵入を防止することが出来る。
更に、切目は線状で前記ヒダの山折目及び隣接するヒダ間の谷折目に沿って形成されているので、切目を両側の加熱溶着部位の１層箇所に形成可能で、且つ切目が線状なため、切り口が一層状で見栄え良く仕上げることが出来る。
【０００９】
前記切目を前記加熱溶着部位の領域内に形成したので、切目が軟質な内側領域にまで至らないため、使用時にマスク本体が切目から裂けることを防止出来る等その実用的効果甚だ大である。
【図面の簡単な説明】
【００１０】
【図１】本発明に係るマスクの正面図である。
【図２】図１のマスクの背面図である。
【図３】図１のＸ−Ｘ断面の拡大図である。
【発明を実施するための形態】
【００１１】
本発明に係るマスクは、口と鼻とを覆うマスク本体１と、該マスク本体１の両側部から延出する一対の耳掛部２、2aとを有している。
【００１２】
マスク本体１は、通気性の有る不織布を複数枚重ね合わせた積層シートをプリーツ加工して、上下方向に複数のヒダ３、3a…を形成し、且つ両側辺部を加熱溶着すると共に上下両辺部内側に折り返し加熱溶着しており、両側の加熱溶着部位４、4a及び上下の加熱溶着部位５、６は幅のある帯状に形成されている。
又、プリーツ加工は、折山を一方方向に畳んだワンウェー・プリーツであったり、折山を中央より上下両方向に畳んだボックス・プリーツであったり、ボックス・プリーツを裏返した形態のインバーテッド・プリーツ等とし、図面上インバーテッド・プリーツとしている。
【００１３】
両側の加熱溶着部位４、4aに、ヒダ３、3a…の山折目８、8a…及び隣接するヒダ３、3a…間の谷折目９、9a…に沿った複数の切目７、7a…を形成し、該切目７、7a…を加熱溶着部位４、4aの幅以下の深さ、即ち加熱溶着部位４、4aの領域内に形成している。
【００１４】
耳掛部２、2aは伸縮性を有する紐状材で、両端をマスク本体１の側方上下部に固着一体化している。
【００１５】
そして、使用時には、マスク本体１のヒダ３、3a…を伸ばし、耳掛部２、2aを耳に掛けて使用し、マスク本体１の両側部は略弧状に変形するが、固くなった両側の加熱溶着部位４、4aが切目７、7a…で分割され小片化されて、隣接するもの同士が重なり変形を吸収して、マスク本体１の両側部が顔に馴染み顔との間に隙間が形成されない。
【符号の説明】
【００１６】
１        マスク本体
２、2a    耳掛部
３、3a…  ヒダ
４、4a    加熱溶着部位
７、7a…  切目
８、8a…  山折目
９、9a…  谷折目
【図１】
2018090925.tif 000003
【図２】
2018090925.tif 000004
【図３】
2018090925.tif 000005